(57)【要約】【課題】電圧及び電流の被測定箇所から電力量計の設置箇所までをケーブルにより配線することなく、各負荷の使用電力量を建造物内で一括または集中して表示する電力量表示システムを提供する。【解決手段】各負荷に対応して設けられて負荷６ａの電圧及び電流から負荷の使用電力量を演算する電力量演算部１１a1と、電力量演算部で演算された使用電力量を変調して伝送信号に変換し、建造物内に配線された電力線３に重畳させて送出する送信部１１a2と、送信部で送出された伝送信号を受信し、復調して使用電力量とする受信部１２a1と、受信部で復調された使用電力量を表示する表示部１２a3とを備える。この表示部を建造物内で一括または集中して配置する。【選択図】図１
2005137108.tif 000002
【特許請求の範囲】
【請求項１】
建造物内の各負荷の使用電力量を前記建造物内で一括または集中して表示する電力量表示システムにおいて、
前記各負荷に対応して設けられて前記負荷の電圧及び電流から前記負荷の使用電力量を演算する電力量演算部と、
前記電力量演算部で演算された使用電力量を変調して伝送信号に変換し、前記建造物内に配線された電力線に重畳させて送出する送信部と、
前記送信部で送出された伝送信号を受信し、復調して前記使用電力量とする受信部と、
前記受信部で復調された使用電力量を表示する表示部とを備え、
少なくとも前記表示部が前記一括または集中して配置されている電力量表示システム。
【請求項２】
建造物内の各負荷の使用電力量を前記建造物内で一括または集中して表示する電力量表示システムにおいて、
前記各負荷に対応して設けられて前記負荷の電流を変調して伝送信号に変換し、前記建造物内に配線された電力線に重畳させて送出する送信部と、
前記送信部で送出された伝送信号を受信し、復調して前記負荷の電流とする受信部と、
前記受信部で復調された負荷の電流と前記電力線の電圧とから前記負荷の使用電力量を演算する電力量演算部と、
前記電力量演算部で演算された前記負荷の使用電力量を表示する表示部とを備え、
少なくとも前記表示部が前記一括または集中して配置されている電力量表示システム。
【請求項３】
前記電力線に伝送中継装置が設けられている請求項１または２に記載の電力量表示システム。
【発明の詳細な説明】
【技術分野】
【０００１】
本発明は、工場、ビル等のような建造物内に設けられる電力量表示システムに関するものである。
【背景技術】
【０００２】
工場、ビル等のような建造物の電気室には受配電設備が収容されており、ここから各設備または各階へ、建造物内に配線された動力線、電灯線等の電力線を介して動力、電灯負荷等への電力供給を行っている。これらの各負荷に対応して設けられた電力量計は、電力会社が電力量の検針を省力するために、一箇所に集中、すなわち電気室に収容されている場合が多い。この場合、特許文献１に示されるように、各負荷の電圧及び電流の被測定箇所から各電力量計の設置箇所までをケーブルによりそれぞれ配線している。
【０００３】
図３は上記建造物に適用した従来の電力量表示システムのブロック図である。図示するように、電気室Ａに収容されている受配電設備には、例えば複数の変圧器２，２，２が備えられており、その１次側は建造物に引き込まれた高圧引込線１に接続され、２次側は建造物に配線された電力線に接続されている。例えば変圧器２に接続されている電力線３は、配電盤または分電盤４を介して例えば４つに分岐され、分岐した分岐線５ａ，５ｂ，５ｃ，５ｄに単位負荷６ａ，６ｂ，６ｃ，６ｄがそれぞれ接続されている。
【０００４】
電気室には、各単位負荷６ａ，６ｂ，６ｃ，６ｄに対応して設けられた電力量計７ａ，７ｂ，７ｃ，７ｄが収容されている。この例では、単位負荷６ａ，６ｂ，６ｃ，６ｄをまとめた複合負荷に対応して設けられた電力量計７ｎが収容されている。各電力量計７ａ，７ｂ，７ｃ，７ｄには、単位負荷６ａ，６ｂ，６ｃ，６ｄを接続している分岐線５ａ，５ｂ，５ｃ，５ｄにそれぞれ設けられると共に、例えば配電盤または分電盤４内に設けられた変流器８ａ，８ｂ，８ｃ，８ｄにより検出される電流と各単位負荷６ａ，６ｂ，６ｃ，６ｄを接続している分岐線５ａ，５ｂ，５ｃ，５ｄの電圧とがそれぞれのケーブル９ａ，９ｂ，９ｃ，９ｄを介して入力されている。また、電力量計７ｎには、複合負荷を接続している電力線３に設けられると共に、例えば配電盤または分電盤４内に設けられた変流器８ｎにより検出される電流と複合負荷を接続している電力線３の電圧とがケーブル９ｎを介して入力されている。
【０００５】
この例では、各単位負荷を接続している分岐線の電圧値同士、また、この電圧値と複合負荷を接続している電力線の電圧値とは同じとしているので、変圧器２の２次側に配線された電力線３の接続箇所から各電力量計まで、共通の電力引出線１０が引き出され、各電力量計には、その電力引出線１０の電圧がそれぞれ入力されている。また、変流器８ａ，８ｂ，８ｃ，８ｄ，８ｎにより検出される電流のみがケーブル９ａ，９ｂ，９ｃ，９ｄ，９ｎを介してそれぞれ入力されている。
【特許文献１】特開２００２−２２２６４５号公報（第３−４頁、図７）
【発明の開示】
【発明が解決しようとする課題】
【０００６】
このような建造物では、電圧及び電流の被測定箇所が多く、また、点在しているために、ケーブル等の資材費がアップし、また、ケーブルの敷設作業が煩雑になるという問題がある。特に、負荷の増加に対応させて受配電設備を増設する場合、ケーブルの敷設作業がさらに煩雑になるという問題がある。
【０００７】
本発明の目的は、電圧及び電流の被測定箇所から電力量計の設置箇所までをケーブルにより配線することなく、各負荷の使用電力量を建造物内で一括または集中して表示する電力量表示システムを提供することにある。
【課題を解決するための手段】
【０００８】
請求項１に記載の発明は、建造物内の各負荷の使用電力量を建造物内で一括または集中して表示する電力量表示システムを対象とし、各負荷に対応して設けられて負荷の電圧及び電流から負荷の使用電力量を演算する電力量演算部と、電力量演算部で演算された使用電力量を変調して伝送信号に変換し、建造物内に配線された電力線に重畳させて送出する送信部と、送信部で送出された伝送信号を受信し、復調して使用電力量とする受信部と、受信部で復調された使用電力量を表示する表示部とを備え、少なくとも表示部を一括または集中して配置するようにしたものである。
【０００９】
請求項１に記載の発明においては、負荷の電圧及び電流から演算された使用電力量の伝送信号が、電力線を介して受信部に伝送され、使用電力量が一括または集中して配置されている表示部で表示される。
【００１０】
請求項２に記載の発明は、建造物内の各負荷の使用電力量を建造物内で一括または集中して表示する電力量表示システムを対象とし、各負荷に対応して設けられて負荷の電流を変調して伝送信号に変換し、建造物内に配線された電力線に重畳させて送出する送信部と、送信部で送出された伝送信号を受信し、復調して負荷の電流とする受信部と、受信部で復調された負荷の電流と電力線の電圧とから負荷の使用電力量を演算する電力量演算部と、電力量演算部で演算された負荷の使用電力量を表示する表示部とを備え、少なくとも表示部を一括または集中して配置するようにしたものである。
【００１１】
請求項２に記載の発明においては、負荷の電流の伝送信号が、電力線を介して受信部に伝送され、電力量演算部で演算された使用電力量が一括または集中して配置されている表示部で表示される。
【００１２】
請求項３に記載の発明は、電力線に伝送中継装置を設けるようしたものである。
【００１３】
請求項３に記載の発明においては、負荷の電圧及び電流から演算された使用電力量または負荷の電流の伝送信号が増幅される。
【発明の効果】
【００１４】
以上のように、請求項１に記載した発明によれば、負荷の電圧及び電流から演算された使用電力量の伝送信号が、電力線を介して一括または集中して配置されている受信部に伝送され、使用電力量が一括または集中して配置されている表示部で表示されるので、工場、ビル等のような建造物に対し、ケーブル等の資材費をなくすることができると共に、ケーブルの敷設作業もなくすることができる。また、負荷の増加に対応させて受配電設備を増設する場合でも、ケーブルの敷設作業をなくすることができる。
【００１５】
請求項２に記載した発明によれば、負荷の電流の伝送信号が、電力線を介して受信部に伝送され、電力量演算部で演算された使用電力量が一括または集中して配置されている表示部で表示されるので、工場、ビル等のような建造物に対し、ケーブル等の資材費をなくすることができると共に、ケーブルの敷設作業もなくすることができる。また、負荷の増加に対応させて受配電設備を増設する場合でも、ケーブルの敷設作業をなくすることができる。さらに、各単位負荷を接続している分岐線の電圧値同士、また、この電圧値と複合負荷を接続している電力線の電圧値とが同じである建造物に対応させることができる。
【００１６】
請求項３に記載した発明によれば、負荷の電圧及び電流から演算された使用電力量または負荷の電流の伝送信号が増幅されるので、送信側通信装置と受信側通信装置との間が遠くなる建造物に対応させることができる。
【発明を実施するための最良の形態】
【００１７】
図１は、本発明に係る電力量表示システムの第１の実施形態を示すブロック図である。図示するように、図３と同様に、変流器８ａ，８ｂ，８ｃ，８ｄが各単位負荷６ａ，６ｂ，６ｃ，６ｄを接続している分岐線５ａ，５ｂ，５ｃ，５ｄにそれぞれ設けられ、また、変流器８ｎが単位負荷６ａ，６ｂ，６ｃ，６ｄをまとめた複合負荷を接続している電力線３に設けられている。
【００１８】
配電盤または分電盤４内には、各単位負荷６ａ，６ｂ，６ｃ，６ｄに対応して設けられた送信側通信装置１１ａ，１１ｂ，１１ｃ，１１ｄが収容されている。また、単位負荷６ａ，６ｂ，６ｃ，６ｄをまとめた複合負荷に対応して設けられた送信側通信装置１１ｎが収容されている。各送信側通信装置は同じ構成であり、例えば送信側通信装置１１ａは、分岐線５ａの電圧と変流器８ａにより検出された負荷６ａの電流とから負荷６ａの使用電力量を演算する電力量演算部１１a1と、この電力量演算部１１a1で演算された使用電力量を変調して伝送信号に変換し、変圧器２の２次側に配線された電力線３に重畳させて送出する送信部１１a2とを備えている。他の送信側通信装置１１ｂ，１１ｃ，１１ｄ，１１ｎはそれぞれ、電力量演算部１１b1，１１c1，１１d1，１１n1と送信部１１b2，１１c2，１１d2，１１n2とを備えている。なお、送信部１１a2は、ブロッキングフィルタ及び結合トランスからなる図示しない結合回路を介して電力線３に接続されている。
【００１９】
電気室Ａには、送信側通信装置１１ａ，１１ｂ，１１ｃ，１１ｄ，１１ｎに対応して設けられた受信側通信装置１２ａ，１２ｂ，１２ｃ，１２ｄ，１２ｎが収容されている。各受信側通信装置は同じ構成であり、例えば受信側通信装置１２ａは、送信部１１a2で電力線３を通して送出された伝送信号を受信し、復調して使用電力量とする受信部１２a1と、この受信部１２a1で復調された使用電力量を表示する表示部１２a3とを備えており、受信部１２a1及び表示部１２a3が一括または集中して電気室Ａに配置されている。他の受信側通信装置１２ｂ，１２ｃ，１２ｄ，１２ｎはそれぞれ、受信部１２b1，１２c1，１２d1，１２n1及び表示部１２b3，１２c3，１２d3，１２n3を備えている。なお、変圧器２の２次側に配線された電力線３の接続箇所から受信側通信装置１２ａまで、共通の電力引出線１０が引き出されており、この電力引出線１０に他の受信側通信装置１２ｂ，１２ｃ，１２ｄ，１２ｎが接続されている。また、受信部１２a1は、ブロッキングフィルタ及び結合トランスからなる図示しない結合回路を介して電力引出線１０に接続されている。
【００２０】
電力線３には、送信側通信装置と受信側通信装置との間が長くなる場合、伝送中継装置１３が設けられており、送信側通信装置１１ａの送信部１１a2で電力線３を通して送出された使用電力量の伝送信号が受信側通信装置１２ａの受信部１２a1で受信されるように、ここでこの伝送信号を受信し、増幅して再度電力線３を通して送出している。
【００２１】
このような構成においては、例えば単位負荷６ａに対し、送信側通信装置１１ａの電力量演算部１１a1は、分岐線５ａの電圧と変流器８ａにより検出された負荷６ａの電流とから負荷６ａの使用電力量を演算する。送信部１１a2は、電力量演算部１１a1で演算された使用電力量を変調して伝送信号に変換し、変圧器２の２次側に配線された電力線３に重畳して送出する。受信側通信装置１２ａの受信部１２a1は、電力線３を通して送出された伝送信号を受信し、復調して負荷６ａの使用電力量とし、表示部１２a3は受信部１２a1で復調された使用電力量を表示する。なお、他の単位負荷６ｂ，６ｃ，６ｄ、また、単位負荷６ａ，６ｂ，６ｃ，６ｄをまとめた複合負荷に対しても送信側通信装置及び受信側通信装置は同じ動作をする。
【００２２】
図２は、本発明に係る電力量表示システムの第２の実施形態を示すブロック図である。本実施形態においては、各単位負荷を接続している分岐線の電圧値同士、また、この電圧値と複合負荷を接続している電力線の電圧値とが同じとしている。図示するように、図３と同様に、変流器８ａ，８ｂ，８ｃ，８ｄが各単位負荷６ａ，６ｂ，６ｃ，６ｄを接続している分岐線５ａ，５ｂ，５ｃ，５ｄにそれぞれ設けられ、また、変流器８ｎが単位負荷６ａ，６ｂ，６ｃ，６ｄをまとめた複合負荷を接続している電力線３に設けられている。
【００２３】
配電盤または分電盤４内には、各単位負荷６ａ，６ｂ，６ｃ，６ｄに対応して設けられた送信側通信装置１１ａ，１１ｂ，１１ｃ，１１ｄが収容されている。また、単位負荷６ａ，６ｂ，６ｃ，６ｄをまとめた複合負荷に対応して設けられた送信側通信装置１１ｎが収容されている。各送信側通信装置は同じ構成であり、例えば送信側通信装置１１ａは、変流器８ａにより検出された負荷６ａの電流を変調して伝送信号に変換し、変圧器２ａの２次側に配線された電力線３に重畳させて送出する送信部１１a2とを備えている。他の送信側通信装置１１ｂ，１１ｃ，１１ｄ，１１ｎはそれぞれ、送信部１１b2，１１c2，１１d2，１１n2とを備えている。
【００２４】
電気室Ａには、送信側通信装置１１ａ，１１ｂ，１１ｃ，１１ｄ，１１ｎに対応して設けられた受信側通信装置１２ａ，１２ｂ，１２ｃ，１２ｄ，１２ｎが収容されている。各受信側通信装置は同じ構成であり、例えば受信側通信装置１２ａは、送信部１１a2で電力線３を通して送出された伝送信号を受信し、復調して負荷６ａの電流とする受信部１２a1と、この受信部１２a1で復調された電流と電力線３（電力引出線１０）の電圧とから負荷６ａの使用電力量を演算する電力量演算部１２a2と、この電力量演算部１２a2で演算された使用電力量を表示する表示部１２a3とを備えており、受信部１２a1、電力量演算部１２a2及び表示部１２a3が一括または集中して電気室Ａに配置されている。他の受信側通信装置１２ｂ，１２ｃ，１２ｄ，１２ｎはそれぞれ、受信部１２b1，１２c1，１２d1，１２n1、電力量演算部１２b2，１２c2，１２d2，１２n2及び表示部１２b3，１２c3，１２d3，１２n3を備えている。なお、変圧器２の２次側に配線された電力線３の接続箇所から受信側通信装置１２ａまで、共通の電力引出線１０が引き出されており、この電力引出線１０に他の受信側通信装置１２ｂ，１２ｃ，１２ｄ，１２ｎが接続されている。
【００２５】
電力線３には、送信側通信装置と受信側通信装置との間が遠くなる場合、伝送中継装置１３が設けられており、送信側通信装置１１ａの送信部１１a2で電力線３を通して送出された負荷の電流の伝送信号が受信側通信装置１２ａの受信部１２a1で受信されるように、ここでこの伝送信号を受信し、増幅して再度電力線３を通して送出している。
【００２６】
このような構成においては、例えば単位負荷６ａに対し、送信側通信装置１１ａの送信部１１a2は、変流器８ａにより検出された負荷６ａの電流を変調して伝送信号に変換し、変圧器２の２次側に配線された電力線３に重畳して送出する。受信側通信装置１２ａの受信部１２a1は、電力線３を通して送出された伝送信号を受信し、復調して負荷６ａの電流とする。電力量演算部１２a2は、この負荷６ａの電流と電力引出線１０の電圧とから負荷６ａの使用電力量を演算する。表示部１２a3は、電力量演算部１２a2で演算された使用電力量を表示する。なお、他の単位負荷６ｂ，６ｃ，６ｄ、また、単位負荷６ａ，６ｂ，６ｃ，６ｄをまとめた複合負荷に対しても送信側通信装置及び受信側通信装置は同じ動作をする。
【図面の簡単な説明】
【００２７】
【図１】本発明に係る電力量表示システムの第１の実施形態を示すブロック図である。
【図２】本発明に係る電力量表示システムの第２の実施形態を示すブロック図である。
【図３】従来の電力量表示システムのブロック図である。
【符号の説明】
【００２８】
６ａ，６ｂ，６ｃ，６ｄ  単位負荷
６ｎ  複合負荷
１１a1，１１b1，１１c1，１１d1，１１n1  電力量演算部
１２a2，１２b2，１２c2，１２d2，１２n2  電力量演算部
１１a2，１１b2，１１c2，１１d2，１１n2  送信部
１２a1，１２b1，１２c1，１２d1，１２n1  受信部
１２a3，１２b3，１２c3，１２d3，１２n3  表示部
１３  伝送中継装置
【図１】
2005137108.tif 000003
【図２】
2005137108.tif 000004
【図３】
2005137108.tif 000005